(57)【要約】  複数の面状発光パネル（１００）と、複数の面状発光パネル（１００）を支持する筺体（５０）と、筺体（５０）に支持され、複数の面状発光パネル（１００）から照射される光が内面から外面に向けて照射される湾曲形状の照明パネル（６０）とを備え、複数の面状発光パネル（１００）の夫々の表面の重心位置から面状発光パネル（１００）の表面（１００Ｓ）に対して垂直に延びる発光重心線（Ｌ２１）が照明パネル（６０）と交わる点を基準点（Ｐ１）として、発光重心線（Ｌ２１）上における複数の面状発光パネル（１００）の夫々の表面（１００Ｓ）から基準点（Ｐ１）までの距離（Ｄ１）が等しくなるように、複数の面状発光パネル（１００）が筺体（５０）に支持されている。
2014175020.tif 000002
【特許請求の範囲】
【請求項１】
複数の面状発光パネルと、
複数の前記面状発光パネルを支持する筺体と、
前記筺体に支持され、複数の前記面状発光パネルから照射される光が内面から外面に向けて照射される湾曲形状の照明パネルと、を備え、
複数の前記面状発光パネルの夫々の表面の重心位置から前記面状発光パネルの表面に対して垂直に延びる発光重心線が前記照明パネルと交わる点を基準点として、前記発光重心線上における複数の前記面状発光パネルの夫々の前記表面から前記基準点までの距離が等しくなるように、複数の前記面状発光パネルが前記筺体に支持されている、内照式照明装置。
【請求項２】
前記面状発光パネルの前記表面が、前記基準点を通過し前記発光重心線に対して垂直に交わる仮想平面と平行となるように、複数の前記面状発光パネルが前記筺体に支持されている、請求項１に記載の内照式照明装置。
【請求項３】
複数の前記面状発光パネルの夫々の表面が相互に平行となるように、複数の前記面状発光パネルが前記筺体に支持されている、請求項１に記載の内照式照明装置。
【請求項４】
複数の前記面状発光パネルの夫々は、１枚の面状発光素子、または、複数の面状発光素子の組み合わせである、請求項１から３のいずれか１項に記載の内照式照明装置。
【請求項５】
前記照明パネルは、円筒面形状である、請求項１から４のいずれか１項に記載の内照式照明装置。
【請求項６】
前記照明パネルの外面は凸形状である、請求項１から５のいずれか１項に記載の内照式照明装置。
【請求項７】
前記照明パネルは、図柄を有する、請求項１から６のいずれか１項に記載の内照式照明装置。
【発明の詳細な説明】
【技術分野】
【０００１】
本発明は面発光素子を用いた内照式照明装置の構造に関する。
【背景技術】
【０００２】
特開２０１２−１４１３４２号公報（特許文献１）は、表示用パネルに関し、ＬＥＤを発光光源として、湾曲形状のパネルを内部から照明するために、湾曲形状の導光板を採用する構造が開示されている。【０００３】
特開平１１−１２６０２９号公報（特許文献２）は、曲面表示が可能な表示器に関し、バックライトユニットに、可撓性発光シートを液晶セルに沿って曲げて取り付ける構造が開示されている。
【先行技術文献】
【特許文献】
【０００４】
【特許文献１】特開２０１２−１４１３４２号公報
【特許文献２】特開平１１−１２６０２９号公報
【発明の概要】
【発明が解決しようとする課題】
【０００５】
近年、有機ＥＬ（Organic  Electroluminecense）パネルなどの面状発光パネルを面状に複数配列した照明装置の開発が進められている。将来的には、自在に曲面形状を形成することが可能な有機ＥＬパネルを用いた照明装置の開発も期待されているが、現状は、平面状態の面状発光パネルの開発が進められている。【０００６】
一方、トンネル内に設置される照明装置、駅構内の柱に設置される商業広告用の照明装置には、内部に光源が収容された内照式照明装置が多く用いられている。この内照式照明装置においても、光源に有機ＥＬパネル等を用いた面状発光パネルの採用が期待される。【０００７】
しかし、トンネル内の壁面、駅構内の柱は、湾曲面が多く存在する。光源に湾曲しない有機ＥＬパネル等を用いた面状発光パネルを採用し、複数の面状発光パネルを配列した場合、面状発光パネルから発光された光が通過する照明パネルの面から見たときに輝度ムラが目立たない照明状態（発光状態）を得る必要がある。【０００８】
したがって、この発明は上記課題に鑑みてなされたものであり、湾曲した照明パネルを有する内照式照明装置において、複数の面発光光源を採用した際に、照明パネルに輝度ムラが目立たない照明状態を得ることが可能な構造を有する、内照式照明装置を提供することを目的とする。
【課題を解決するための手段】
【０００９】
この発明に基づいた内照式照明装置においては、複数の面状発光パネルと、複数の上記面状発光パネルを支持する筺体と、上記筺体に支持され、複数の上記面状発光パネルから照射される光が内面から外面に向けて照射される湾曲形状の照明パネルとを備える。【００１０】
複数の上記面状発光パネルの夫々の表面の重心位置から上記面状発光パネルの表面に対して垂直に延びる発光重心線が上記照明パネルと交わる点を基準点として、上記発光重心線上における複数の上記面状発光パネルの夫々の上記表面から上記基準点までの距離が等しくなるように、複数の上記面状発光パネルが上記筺体に支持されている。
【発明の効果】
【００１１】
この発明によれば、湾曲した照明パネルを有する内照式照明装置において、複数の面発光光源を採用した際に、照明パネルに輝度ムラが目立たない照明状態を得ることが可能な構造を有する、内照式照明装置を提供することを可能とする。
【図面の簡単な説明】
【００１２】
【図１】実施の形態における内照式照明装置を示す正面図である。
【図２】図１中ＩＩ−ＩＩ線矢視断面図である。
【図３】実施の形態における内照式照明装置に用いられる面状発光素子を示す平面図である。
【図４】図３中ＩＶ−ＩＶ線矢視断面図である。
【図５】実施の形態における内照式照明装置の照明パネルと面状発光パネルとの配置関係を示す断面模式図である。
【図６】実施の形態における内照式照明装置の照明パネルと複数の面状発光パネルとの配置関係を示す断面模式図である。
【図７】実施の形態における内照式照明装置に採用される面状発光ユニットの筺体への取付構造を示す第１断面模式図である。
【図８】実施の形態における内照式照明装置に採用される面状発光ユニットの筺体への取付構造を示す第２断面模式図である。
【図９】実施の形態２における内照式照明装置の照明パネルと複数の面状発光パネルとの配置関係を示す断面模式図である。
【図１０】他の実施の形態における内照式照明装置の照明パネルと複数の面状発光パネルとの配置関係を示す断面模式図である。
【図１１】さらに他の実施の形態における内照式照明装置の照明パネルと複数の面状発光パネルとの配置関係を示す断面模式図である。
【図１２】照明パネルに図柄を描いた状態を示す図である。
【発明を実施するための形態】
【００１３】
本発明に基づいた各実施の形態における内照式照明装置について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００１４】
（実施の形態１：内照式照明装置５００）
図１および図２を参照して、本実施の形態における内照式照明装置５００について説明する。図１は、本実施の形態における内照式照明装置５００を示す正面図、図２は、図１中ＩＩ−ＩＩ線矢視断面図である。
【００１５】
本実施の形態における内照式照明装置５００は、湾曲した壁面を有する壁１０００に沿って取り付けられている。湾曲した壁１０００とは、たとえば、トンネル内の壁、駅構内の柱、バス、電車等の天井壁等が挙げられる。
【００１６】
図１および図２を参照して、内照式照明装置５００は、内部に複数の面状発光パネル１００有し、各面状発光パネル１００は、筺体５０に支持されている。筺体５０は、壁１０００の壁面に沿った形状を有している。筺体５０の壁１０００との反対側には、壁面に沿った湾曲形状を有する照明パネル６０が設けられている。照明パネル６０は、光透過性を有する材料で構成され、一般的にはアクリル樹脂等が用いられる。照明パネル６０は、輝度ムラの発生を抑制するため、光散乱効果を有する部材を用いるとよい。
【００１７】
各面状発光パネル１００から発光された光は、照明パネル６０を通過して、照明パネル６０の全面が、表示面としての発光状態を得ることができる。照明パネル６０は、たとえば乳白色半透明のパネルを用いることで、照明装置として用いることができる。
【００１８】
図１２に示すように、照明パネル６０に図柄を描くことで、広告装置として用いることもできる。内照式照明装置５００は、内部から光が照射されるため、暗所においても図柄を明確に認識することができる。
【００１９】
本実施の形態の内照式照明装置５００は、図１に示すように、正方形の面状発光パネル１００が、縦４枚、横８枚並べられ、合計３２枚用いられている。面状発光パネル１００の形状は、正方形に限定されず、長方形、六角形等、様々な形状を用いることができる。用いる面状発光パネル１００の枚数も、照明パネル６０の大きさに応じて、適宜選択される。
【００２０】
（面状発光パネル１００）
本実施の形態における面状発光パネル１００は、有機ＥＬを用いた面状発光素子１０から構成される（図４参照）。面状発光パネル１００は、１つの面状発光素子１０から構成される場合、および、２以上の面状発光素子１０から構成される場合を含む。面状発光パネル１００は、複数の発光ダイオード（ＬＥＤ）と拡散板とを用いて面状発光パネルとして構成してもよいし、冷陰極管等を用いた面状発光パネルとして構成してもよい。
【００２１】
図３は、面状発光素子１０を示す平面図である。図３は、面状発光素子１０の背面１９の側から面状発光素子１０を見たときの様子を示している。図４は、図３中のＩＶ−ＩＶ線に沿った矢視断面図である。
【００２２】
図３および図４を参照して、面状発光素子１０は、一辺の長さが約１０ｃｍの正方形形状を有し、透明基板１１（カバー層）、陽極１４、有機層１５、陰極１６、封止部材１７および絶縁層１８を含む。透明基板１１は、面状発光素子１０の表面１２（発光面）を形成し、透明基板１１の外周端面は、面状発光素子１０の外周１０Ｅを形成している。陽極１４、有機層１５および陰極１６は、透明基板１１の裏面１３上に順次積層される。封止部材１７は、面状発光素子１０の背面１９を形成している。
【００２３】
透明基板１１は、たとえば各種のガラス基板から構成される。透明基板１１を構成する部材としては、ＰＥＴ（Polyethylene  Terephthalate）またはポリカーボネイト等のフィルム基板が用いられてもよい。陽極１４は、透明性を有する導電膜である。陽極１４を形成するためには、スパッタリング法等によって、ＩＴＯ（Indium  Tin  Oxide：インジウム錫酸化物）等が透明基板１１上に成膜される。フォトリソグラフィ法等によりＩＴＯ膜が所定の形状にパターニングされることによって、陽極１４が形成される。陽極１４は、電極取出部２１（陽極用）および電極取出部２２（陰極用）を形成するために、パターニングによって２つの領域に分割されている。
【００２４】
有機層１５（発光部）は、電力を供給されることによって光（可視光）を生成することができる。有機層１５は、単層の発光層から構成されていてもよく、正孔輸送層、発光層、正孔阻止層、および電子輸送層などが順次積層されることによって構成されていてもよい。陰極１６は、たとえばアルミニウム（ＡＬ）である。陰極１６は、真空蒸着法等によって有機層１５を覆うように形成される。陰極１６を所定の形状にパターニングするために、真空蒸着の際にはマスクが用いられるとよい。
【００２５】
陰極１６と陽極１４とが短絡しないように、陰極１６と電極取出部２１側の陽極１４との間に絶縁層１８が設けられる。陰極１６の絶縁層１８が設けられる側とは反対側の部分は、電極取出部２２側の陽極１４に接続される。絶縁層１８は、たとえばスパッタリング法を用いてＳｉＯ２などが成膜された後、フォトリソグラフィ法等を用いて陽極１４と陰極１６とを互いに絶縁する箇所を覆うように所望のパターンに形成される。
【００２６】
封止部材１７は、絶縁性を有する樹脂またはガラス基板などから構成される。封止部材１７は、有機層１５を水分等から保護するために形成される。封止部材１７は、陽極１４、有機層１５、および陰極１６（すなわち、面状発光素子１０の内部に設けられる部材）の略全体を透明基板１１上に封止する。陽極１４の一部は、電気的な接続のために、封止部材１７から露出している。
【００２７】
陽極１４の封止部材１７から露出している（図４左側の）部分は、電極取出部２１（陽極用）を構成する。電極取出部２１と陽極１４とは互いに同じ材料で構成される。電極取出部２１は、面状発光素子１０の外周に位置する。陰極１６の封止部材１７から露出している（図４右側の）部分は、電極取出部２２（陰極用）を構成する。電極取出部２２と陽極１４とは互いに同じ材料で構成される。電極取出部２２も、面状発光素子１０の外周に位置する。
【００２８】
電極取出部２１および電極取出部２２は、有機層１５を挟んで相互に反対側に位置している。隣り合う電極取出部２１および電極取出部２２同士の間には、分割領域２０（図３参照）が形成されている。電極取出部２１および電極取出部２２には、はんだ付け（銀ペースト）等を用いて配線パターン（図示せず）が取り付けられる。
【００２９】
以上のように構成される面状発光素子１０の表面１２が発光領域となる。面状発光素子１０の有機層１５には、外部の電源装置から、図示しない配線パターン、電極取出部２１，２２、陽極１４および陰極１６を通して電力が供給される。有機層１５で生成された光は、陽極１４および透明基板１１を通して、表面１２（発光面）から外部に取り出される。
【００３０】
透明基板１１には透明なガラスのほか、光透過性のフィルム、たとえば、ポリイミド、ポリエチレンナフタレート（ＰＥＮ）、ポリエチレンテレフタレート（ＰＥＴ）、ポリスチレン（ＰＳ）、ポリエーテルサルフォン（ＰＥＳ）、ポリカーボネート（ＰＣ）、ポリプロピレン（ＰＰ）等が用いられる。
【００３１】
陽極（アノード）１４には光透過性の材料、たとえば、インジウムチタンオキサイド（ＩＴＯ）またはポリエチレンジオキシチオフェン（ＰＥＤＯＴ）が用いられる。陰極（カソード）１６には、たとえば、アルミニウム（Ａｌ）、フッ化リチウム（ＬｉＦ）、ＡｌとＣａとの積層、ＡｌとＬｉＦとの積層、および、ＡｌとＢａとの積層等が用いられる。
【００３２】
封止部材１７には、ＰＥＴ、ＰＥＮ、ＰＳ、ＰＥＳ、ポリイミド等のフィルムに、ＳｉＯ２、ＡＬ２Ｏ３、ＳｉＮｘ等の無機薄膜と柔軟性のあるアクリル樹脂薄膜などを層状に複数層重ね合わせることでガスバリア性を備えたものが用いられる。電極取出部２１および電極取出部２２には、さらに金、銀、銅などを積層してもよい。
【００３３】
（面状発光パネル１００の配置）
図５および図６を参照して、照明パネル６０に対する面状発光パネル１００の配置について説明する。図５は、照明パネル６０と面状発光パネルとの配置関係を示す断面模式図、図６は、照明パネル６０と複数の面状発光パネル１００との配置関係を示す断面模式図である。
【００３４】
図５を参照して、本実施の形態において、面状発光パネル１００の表面の重心位置をＣＰとし、ＣＰから面状発光パネル１００の表面１００Ｓに対して垂直に延びる発光重心線をＬ２１とし、Ｌ２１が照明パネル６０と交わる点を基準点Ｐ１とする。そして、発光重心線Ｌ２１上における面状発光パネル１００の表面１００Ｓから基準点Ｐ１まで距離Ｄ１が、各面状発光パネル１００において等しくなるように、各々の面状発光パネル１００が筺体５０に支持されている。
【００３５】
本実施の形態においては、面状発光パネル１００は平面形状が正方形のパネルを用いることから、面状発光パネル１００の表面の重心位置は、対角線が交差する重心点（中心点）ＣＰ（図３参照）となる。面状発光パネル１００の平面形状が長方形の場合も同様である。
【００３６】
各面状発光パネル１００（光源）から発光される光を照明パネル６０の面で見た場合に、光源から照明パネル６０までの距離が異なると、照明パネル６０の表示面上での輝度が距離に応じて変化する。そのため、上記距離が異なる複数の光源を並べた場合、上記距離の差の分だけ照明パネルの面において輝度差、すなわち輝度ムラが発生することになる。
【００３７】
照明パネル６０に光拡散板を用いた場合は、光源から照明パネルまでの距離により光の拡散度合いが異なるので、光源をタイリング（配列）したときに発生する非発光部の見え方など、照明パネル６０の表示面での輝度ムラの目立ち度合いに大きく影響する。
【００３８】
しかし、本実施の形態に示すように、発光重心線Ｌ２１上における面状発光パネル１００の表面１００Ｓから基準点Ｐ１まで距離Ｄ１が、各面状発光パネル１００において等しくしている。これにより、輝度ムラの目立ち度合いの影響を最小限に抑制し、均斉度を向上させることができる。
【００３９】
本実施の形態においては、発光重心線Ｌ２１上における面状発光パネル１００の表面１００Ｓから基準点Ｐ１まで距離Ｄ１が、各面状発光パネル１００において等しく配置する一例として、面状発光パネル１００の表面１００Ｓが、基準点Ｐ１を通過し発光重心線Ｌ２１に対して垂直に交わる仮想平面Ｌ６０と平行となるように、各々の面状発光パネル１００が筺体５０に支持されている。
【００４０】
その結果、図６に示すように、照明パネル６０が、円筒面形状であり、所定の曲率半径Ｌ１１を有するように湾曲している場合には、各面状発光パネル１００の発光重心線Ｌ２１が、照明パネル６０の曲率半径Ｌ１１の中心点Ｐ１１を向くように各面状発光パネル１００は配置される。
【００４１】
このように、湾曲した照明パネル６０に対して平面状の面状発光パネル１００（平面光源）を配置する場合に、照明パネル６０曲面に対して平面光源上の各位置からの距離の差が最小となるように平面光源を配置（略平行）とすることで、同一平面光源上において面上の位置の違いによる曲面に対する距離が異なってしまうことによる輝度ムラの要因を抑制することができる。
【００４２】
本実施の形態のように面状発光パネル１００（光源）の配置とすることで、面状発光パネル１００を湾曲した照明パネル６０の形状に合わせて曲げたものを準備しなくても、複数の平面状の面状発光パネル１００を用いて、輝度ムラの目立ちにくい内照式照明装置５００を構成することが可能である。
【００４３】
（内照式照明装置５００の詳細構成）
図７および図８を参照して、面状発光ユニット２００の筺体への取付構造について説明する。図７および図８は、夫々、内照式照明装置５００に採用される面状発光ユニット２００の筺体５０への取付構造を示す第１断面模式図および第２断面模式図である。
【００４４】
内照式照明装置５００において、上述した各面状発光パネル１００は、フレーム２１０に支持され、全体として、面状発光ユニット２００を構成する。フレーム２１０の上端部には、係合軸２２０が両側に設けられている。図７では、紙面の垂直方向手前側に位置する係合軸２２０のみを図示している。
【００４５】
筺体５０の内面上部には、面状発光ユニット２００の係合軸２２０を係合するための鉤状のフック５１が設けられている。フック５１に面状発光ユニット２００の係合軸２２０を係合することにより、面状発光ユニット２００は、回転可能にフック５１に釣り下げられた状態となる。面状発光ユニット２００は、容易にフック５１に対して着脱可能である。
【００４６】
筺体５０には、面状発光パネル１００の制御基板４００が配設されている。面状発光ユニット２００には、ケーブル３１０が設けられ、ケーブル３１０の一端にはコネクタＣ１が設けられている。制御基板４００には、ケーブル３２０が設けられ、ケーブル３２０の一端にはコネクタＣ２が設けられている。コネクタＣ１とコネクタＣ２とを接続することで、制御基板４００から駆動電流が面状発光ユニット２００内の面状発光パネル１００に送られる。
【００４７】
コネクタＣ１とコネクタＣ２との接続は、面状発光ユニット２００を筺体５０に対して軸支しながら下端を持ち上げて傾けた状態でおこなう（図７に示す状態）。その際、ケーブル３１０，３２０の配線長が接続に必要な最小限の長さとなっていると持ち上げた際に配線が突っ張って作業しづらいので、若干の余裕を持たせた長さとなっていることが望ましい。
【００４８】
コネクタＣ１とコネクタＣ２とを接続した後は、図８に示すように、フレーム２１０の下端に設けた固定ブラケット２３０を筺体５０内の下方に設けた固定フック５２に当接させて、ビスＢ止め等により固定する。その後、筺体５０に、照明パネル６０を装着する。
【００４９】
以上の構成により、面状発光ユニット２００の筺体５０への装着を容易に行なうことができる。さらに、面状発光ユニット２００のメンテナンス作業も容易に行なうことができる。
【００５０】
（実施の形態２）
次に、図９を参照して、実施の形態２における内照式照明装置５００Ａについて説明する。図９は、内照式照明装置５００Ａの照明パネル６０と複数の面状発光パネル１００との配置関係を示す断面模式図である。
【００５１】
本実施の形態２では、上記実施の形態１と同様に、面状発光パネル１００は、面状発光パネル１００の表面の重心位置から面状発光パネル１００の表面１００Ｓに対して垂直に延びる発光重心線Ｌ２１が照明パネル６０と交わる点を基準点Ｐ１として、発光重心線Ｌ２１上における面状発光パネル１００の表面１００Ｓから基準点Ｐ１まで距離Ｄ１が、各面状発光パネル１００において等しくなるように、各々の面状発光パネル１００が筺体５０に支持されている。
【００５２】
実施の形態１との相違点は、複数の面状発光パネル１００の各々の表面１００Ｓが相互に平行となるように、各々の面状発光パネル１００が筺体５０に支持されている。その他の構成は、実施の形態１における内照式照明装置５００と同じである。
【００５３】
このように、面状発光パネル１００を配置することによっても、発光重心線Ｌ２１上における各面状発光パネル１００の表面１００Ｓから基準点Ｐ１まで距離Ｄ１が、各面状発光パネル１００において等しいことから、照明パネル６０での輝度ムラの発生を抑制し、均斉度を向上させることができる。各面状発光パネル１００は相互に平行に配置されていることで、面状発光ユニットを容易に製造することも可能となる。
【００５４】
上記実施の形態１および２においては、湾曲形状を有する壁１０００の内面（凹面）側に内照式照明装置５００，５００Ａを配置した場合について説明したが、図１０および図１１に示すように、湾曲形状を有する壁１０００の外面（凸面）側に内照式照明装置を配置してもよい。
【００５５】
図１０に示す内照式照明装置５００Ｂは、実施の形態１における内照式照明装置５００の構成を、壁１０００の外面側に設けたものである。この場合、照明パネルの外面（照射面）は凸状に湾曲した状態となる。この構成においても、実施の形態１と同様に、発光重心線Ｌ２１上における各面状発光パネル１００の表面１００Ｓから基準点Ｐ１まで距離Ｄ１が、各面状発光パネル１００において等しくなるように各面状発光パネル１００が配置されているため、照明パネル６０での輝度ムラの発生を抑制し、均斉度を向上させることができる。
【００５６】
図１１に示す内照式照明装置５００Ｃは、実施の形態２における内照式照明装置５００Ａの構成を、壁１０００の外面側に設けたものである。この構成においても、実施の形態１と同様の作用効果を得ることが可能である。
【００５７】
以上、各実施の形態によれば、面状発光パネル１００は、面状発光パネル１００の表面の重心位置から面状発光パネル１００の表面１００Ｓに対して垂直に延びる発光重心線Ｌ２１が照明パネル６０と交わる点を基準点Ｐ１として、発光重心線Ｌ２１上における面状発光パネル１００の表面１００Ｓから基準点Ｐ１まで距離Ｄ１が、各面状発光パネル１００において等しくなるように、各々の面状発光パネル１００が筺体５０に支持されている。
【００５８】
これにより、発光重心線Ｌ２１上における面状発光パネル１００の表面１００Ｓから基準点Ｐ１まで距離Ｄ１が、各面状発光パネル１００において等しくことから、輝度ムラの目立ち度合いの影響を最小限に抑制し、均斉度を向上させることができる。
【００５９】
光源として、有機ＥＬパネルに限定されず、平面状の面状発光パネル（光源）を使用することが可能であり、一般的に多く出回っている平面状のリジッドパネル、フレキシブルパネル、複数の面状発光パネルを平面状にモジュール化した発光パネル、または、一般的なフレキシブルパネルにも適用が可能であり、用途に合わせて入手性の良い光源を選択して使用することが可能となる。
【００６０】
以上、本発明の各実施の形態における内照式照明装置について説明したが、今回開示された実施の形態は全ての点で例示であって制限的なものではないと考えられるべきである。したがって、本発明の範囲は請求の範囲によって示され、請求の範囲と均等の意味および範囲内での全ての変更が含まれることが意図される。
【符号の説明】
【００６１】
１０  面状発光素子、１１  透明基板、１３  裏面、１４  陽極、１５  有機層、１６  陰極、１７  封止部材、１８  絶縁層、１９  背面、２０  分割領域、２１，２２  電極取出部、５０  筺体、５１  フック、５２  固定フック、６０  照明パネル、１００  面状発光パネル、２００  面状発光ユニット、２１０  フレーム、２２０  係合軸、２３０  固定ブラケット、３１０，３２０  ケーブル、４００  制御基板、５００，５００Ａ，５００Ｂ，５００Ｃ  照式照明装置、１０００  壁。
【図１】
2014175020.tif 000003
【図２】
2014175020.tif 000004
【図３】
2014175020.tif 000005
【図４】
2014175020.tif 000006
【図５】
2014175020.tif 000007
【図６】
2014175020.tif 000008
【図７】
2014175020.tif 000009
【図８】
2014175020.tif 000010
【図９】
2014175020.tif 000011
【図１０】
2014175020.tif 000012
【図１１】
2014175020.tif 000013
【図１２】
2014175020.tif 000014
【国際調査報告】
2014175020.tif 000015
2014175020.tif 000016
2014175020.tif 000017
2014175020.tif 000018